(57)【要約】【課題】  より好適な番組推薦を行うことが可能な技術を提供すること。【解決手段】  デジタル放送受信装置と情報端末装置を含むシステムにおいて、デジタル放送受信装置の視聴番組に関する情報を情報端末装置に記録し、記録した視聴番組に関する情報に基づいて、前記デジタル放送受信装置または前記情報端末装置において、将来放送される番組の番組情報のうちから、使用者へ推薦すべき番組の情報を選択して表示するように構成する。【選択図】  図１（ａ）
2013126054.tif 000002
【特許請求の範囲】
【請求項１】
デジタル放送受信装置と情報端末装置を含むシステムであって、
前記デジタル放送受信装置は、デジタル放送を受信する放送受信部と、前記情報端末装置と情報を送受信する送受信部と、表示部とを備え、
前記情報端末装置は前記デジタル放送受信装置と情報を送受信する通信部と、記録部を備え、
前記デジタル放送受信装置は前記情報端末装置に対して前記デジタル放送受信装置で視聴した番組に関する情報を送信し、
前記情報端末装置は、受信した前記視聴した番組に関する情報を前記記録部に蓄積して蓄積視聴情報とし、
前記デジタル放送受信装置は、使用者へ推薦番組についての番組情報を前記表示部に表示する処理を行う際に、前記情報端末装置へ、前記情報端末装置の前記記録部に蓄積された前記蓄積視聴情報の送信要求を送信し、
前記送信要求を受信した前記情報端末装置は、前記蓄積視聴情報を前記デジタル放送受信装置に送信し、
前記デジタル放送受信装置は受信した前記蓄積視聴情報に基づいて、前記放送受信部で受信した、将来放送される番組の番組情報のうちから、前記使用者へ推薦すべき番組の情報を選択し、前記表示部に表示する
ことを特徴とするシステム。
【請求項２】
請求項１に記載のシステムであって、
前記デジタル放送受信装置は、視聴番組に関する情報を蓄積する記録部を備える前記情報端末装置とは異なる第２の情報端末装置からも蓄積視聴情報を受信し、前記情報端末装置及び前記第２の情報端末装置を含む複数の情報端末装置から受信した蓄積視聴情報に基づいて、前記放送受信部で受信した前記番組情報のうちから選択した推薦番組の番組番組情報を前記表示部に表示する
ことを特徴とするシステム。
【請求項３】
請求項２に記載のシステムであって、
前記デジタル放送受信装置における前記推薦番組の番組情報の選択は、前記情報端末装置及び前記第２の情報端末装置を含む複数の情報端末装置から受信した蓄積視聴情報のうち、所定の情報端末装置から受信した蓄積視聴情報に対して重み付けを行う集計処理を行った集計結果に基づいて行う
ことを特徴とするシステム。
【請求項４】
デジタル放送受信装置と情報端末装置を含むシステムであって、
前記デジタル放送受信装置は、デジタル放送を受信する放送受信部と、前記情報端末装置と情報を送受信する送受信部と、表示部とを備え、
前記情報端末装置は前記デジタル放送受信装置と情報を送受信する通信部と、記録部を備え、
前記デジタル放送受信装置は前記情報端末装置に対して前記デジタル放送受信装置で視聴した番組に関する情報を送信し、
前記情報端末装置は、受信した前記視聴した番組に関する情報に基づいて集計処理を行った集計情報を前記記録部に記録し、
前記デジタル放送受信装置は、使用者へ推薦番組についての番組情報を前記表示部に表示する処理を行う際に、前記情報端末装置へ、前記情報端末装置の前記記録部に記録された前記集計情報の送信要求を送信し、
前記送信要求を受信した前記情報端末装置は、前記集計情報を前記デジタル放送受信装置に送信し、
前記デジタル放送受信装置は受信した前記集計情報に基づいて、前記放送受信部で受信した、将来放送される番組の番組情報のうちから、前記使用者へ推薦すべき番組の番組情報を選択し、前記表示部に表示する
ことを特徴とするシステム。
【請求項５】
デジタル放送受信装置と情報端末装置を含むシステムであって、
前記デジタル放送受信装置は、デジタル放送を受信する放送受信部と、前記情報端末装置と情報を送受信する送受信部と、表示部とを備え、
前記情報端末装置は前記デジタル放送受信装置と情報を送受信する通信部と、記録部を備え、
前記デジタル放送受信装置は前記情報端末装置に対して前記デジタル放送受信装置で視聴した番組に関する情報を送信し、
前記情報端末装置は、受信した前記視聴した番組に関する情報を前記記録部に蓄積して蓄積視聴情報とし、
前記デジタル放送受信装置は、使用者へ推薦番組についての番組情報を前記表示部に表示する処理を行う際に、前記情報端末装置へ、前記情報端末装置の前記記録部に蓄積された前記蓄積視聴情報に集計処理を行った集計情報の送信要求を送信し、
前記送信要求を受信した前記情報端末装置は、前記記録部に蓄積された前記蓄積視聴情報に集計処理を行って前記集計情報を生成して前記デジタル放送受信装置に送信し、
前記デジタル放送受信装置は受信した前記集計情報に基づいて、前記放送受信部で受信した、将来放送される番組の番組情報のうちから、前記使用者へ推薦すべき番組の番組情報を選択し、前記表示部に表示する
ことを特徴とするシステム。
【請求項６】
デジタル放送受信装置であって、
デジタル放送を受信する受信部と、
表示部と、
着脱可能な記録媒体を接続するインタフェースと、
前記表示部に表示する推薦番組の番組情報を選択する推薦番組選択部とを備え、
前記インタフェースを介して前記記録媒体に、前記デジタル放送受信装置の使用者の視聴番組に関する情報を記録し、
前記記録媒体に記録された前記使用者の視聴番組に関する情報を再生し、再生した該情報に基づいて前記推薦番組選択部が、前記受信部で受信した、将来放送される番組の番組情報のうちから前記使用者へ推薦すべき番組の番組情報を選択し、前記表示部に表示する
ことを特徴とするデジタル放送受信装置。
【請求項７】
請求項６に記載のデジタル放送受信装置であって、
前記デジタル放送受信装置は、前記インタフェースに接続された記録媒体に記録された使用者の視聴番組に関する情報が、前記デジタル放送受信装置とは異なる他のデジタル放送受信装置で記録された情報であっても、前記記録媒体から該使用者の視聴番組に関する情報を再生し、再生した該情報に基づいて前記推薦番組選択部が、前記受信部で受信した、将来放送される番組の番組情報のうちから前記使用者へ推薦すべき番組の番組情報を選択し、前記表示部に表示する
ことを特徴とするデジタル放送受信装置。
【請求項８】
デジタル放送受信装置と情報端末装置を含むシステムであって、
前記デジタル放送受信装置は、デジタル放送を受信する放送受信部と、前記情報端末装置と情報を送受信する送受信部とを備え、
前記情報端末装置は前記デジタル放送受信装置と情報を送受信する通信部と、記録部と、デジタル放送で放送される番組の番組情報を取得する取得部と、使用者へ推薦すべき番組を選択する推薦番組選択部と、表示部とを備え、
前記デジタル放送受信装置は、前記情報端末装置に対して前記デジタル放送受信装置で視聴した番組に関する情報を送信し、
前記情報端末装置は、受信した前記視聴した番組に関する情報を前記記録部に蓄積して蓄積視聴情報とし、前記推薦番組選択部が、前記記録部に蓄積した前記蓄積視聴情報に基づいて、前記取得部で取得した番組情報のうちから前記使用者へ推薦すべき番組の番組情報を選択し、選択された番組情報を前記表示部に表示する
ことを特徴とするシステム。
【請求項９】
デジタル放送受信装置へ指示情報を送信可能な情報端末装置であって、
前記デジタル放送受信装置へ指示情報を送信する指示送信部と、
記録部と、
デジタル放送で放送される番組の番組情報を取得する取得部と、
使用者へ推薦すべき番組を選択する推薦番組選択部と、
表示部とを備え、
前記指示送信部が、前記デジタル放送受信装置へ選局を指示する指示情報を送信し、
前記記録部が前記指示情報により選局を指示した番組の番組情報を蓄積して蓄積視聴情報とし、
前記推薦番組選択部が、前記記録部に蓄積した前記蓄積視聴情報に基づいて、前記取得部で取得した番組情報のうちから前記使用者へ推薦すべき番組の番組情報を選択し、
前記表示部が選択された番組情報を表示する
ことを特徴とする情報端末装置。
【請求項１０】
デジタル放送を受信する放送受信部と、
外部の情報端末装置から情報を受信する情報受信部と、
表示部と、
前記表示部に表示する推薦番組の番組情報を選択する推薦番組選択部とを備え、
前記情報受信部は、前記外部の情報端末装置において生成した、使用者の番組視聴に関する情報を受信し、
前記推薦番組選択部は、前記情報受信部を介して受信した前記使用者の番組視聴に関する情報に基づいて、前記放送受信部で受信した、将来放送される番組の番組情報のうちから、前記使用者へ推薦すべき番組の情報を選択し、
前記表示部は、選択された番組情報を表示する
ことを特徴とするデジタル放送受信装置。
【請求項１１】
外部のデジタル放送受信装置から情報を受信する通信部と、
記録部と、
デジタル放送で放送される番組の番組情報を取得する取得部と、
使用者へ推薦すべき番組を選択する推薦番組選択部と、
表示部とを備え、
前記通信部は、前記外部のデジタル放送受信装置から、前記外部のデジタル放送受信装置で視聴した番組に関する情報を受信し、
前記記録部は、受信した前記視聴した番組に関する情報または前記視聴した番組に関する情報に基づいて生成した情報を記録し、
前記推薦番組選択部は、前記記録部に記録した情報または前記記録部に記録した情報に基づいて生成した情報に応じて、前記取得部で取得した番組情報のうちから前記使用者へ推薦すべき番組の番組情報を選択し、
前記表示部は、選択された番組情報を表示する
ことを特徴とする情報端末装置。
【請求項１２】
デジタル放送を受信するデジタル放送受信装置であって、
デジタル放送を受信する放送受信部と、
外部の情報端末装置へ情報を送信する情報送信部とを備え、
前記情報送信部は、前記放送受信部を介して受信して前記デジタル放送受信装置で視聴した番組に関する情報を外部の情報端末装置へ送信する
ことを特徴とするデジタル放送受信装置。
【請求項１３】
外部のデジタル放送受信装置と情報を送受信する通信部と、
記録部とを備え、
前記通信部が、前記外部のデジタル放送受信装置から、前記外部のデジタル放送受信装置で視聴した番組に関する情報を受信し、
前記記録部が、受信した前記視聴した番組に関する情報または前記視聴した番組に関する情報に基づいて生成した情報を記録し、
前記通信部は、前記記録部に記録した情報または前記記録部に記録した情報に基づいて生成した情報を前記外部のデジタル放送受信装置へ送信する
ことを特徴とする情報端末装置。
【発明の詳細な説明】
【技術分野】
【０００１】
本発明は、番組推薦技術に関する。
【背景技術】
【０００２】
放送のデジタル化および多チャンネル化により、一般家庭で視聴できる番組が増加している。デジタル放送対応の映像機器、例えばデジタルテレビ等、では、電子番組表等の、使用者の番組選択を容易にするための手段を備えていることが多い。更に、近年では、使用者が過去に視聴した番組から、出演者名やジャンル情報などのキーワードを抽出、優先順位をつけたデータベースを作成し、最新の番組情報に対して、先に順位付けされたキーワードでの検索結果をおすすめ番組として使用者に対して提供する番組推薦機能が付加された機器も製品化されている。
【０００３】
前記番組推薦機能では、家族で一緒に視聴している等、一台のテレビを複数の使用者で共有している場合、全ての使用者の好みの総和に基づいた番組推薦が行われることになり、特定の個人の好みに基づく推薦番組は得られないことになる。このような状況下で、テレビ視聴中の個人を特定し、その個人の好みにあわせた番組推薦を行う方法として、下記特許文献１に記載の技術がある。
【先行技術文献】
【特許文献】
【０００４】
【特許文献１】特開２００７−２１４８６９公報
【発明の概要】
【発明が解決しようとする課題】
【０００５】
前記特許文献１に記載の技術においては、複数の使用者が共有するテレビで視聴中の個人を特定する手段として、デジタルテレビの有する字幕機能の使用の有無を利用している。即ち、たとえばテレビを共有する使用者の中に、聴覚に障害を持つ使用者がいる場合、字幕機能の使用状況によりその使用者がテレビを視聴中であると判断する。
【０００６】
しかしながら、前記手段を用いた場合、確実な個人特定を行うことができない場合がある。更には、使用者が単一であった場合でも、通常時に使用しているデジタルテレビと異なるデジタルテレビを使用した場合、好適な番組推薦を得ることができない、等の課題がある。
【０００７】
本発明の目的は、より好適な番組推薦を行うことが可能な技術を提供することである。
【課題を解決するための手段】
【０００８】
前記課題を解決するために、本発明の一実施の態様では、デジタル放送受信装置と情報端末装置を含むシステムにおいて、デジタル放送受信装置の視聴番組に関する情報を情報端末装置に記録し、記録した視聴番組に関する情報に基づいて、前記デジタル放送受信装置または前記情報端末装置において、将来放送される番組の番組情報のうちから、使用者へ推薦すべき番組の情報を選択して表示するように構成すればよい。
【発明の効果】
【０００９】
本発明の技術を用いることにより、より好適な番組推薦を行うことが可能となる。
【図面の簡単な説明】
【００１０】
【図１（ａ）】本発明の実施例1に係る番組推薦装置と情報端末装置のブロック図の一例である。
【図１（ｂ）】本発明の実施例1に係る番組推薦装置と情報端末装置のブロック図の一例である。
【図２】本発明の実施例1に係る番組推薦システムの構成の一例の説明図である。
【図３】本発明の実施例1に係る情報端末装置が格納するデータベースの一例の説明図である。
【図４】本発明の実施例1に係る番組推薦システムにおける、複数の使用者についての蓄積視聴情報の総和を算出する処理の一例の説明図である。
【図５】本発明の実施例1に係るリモコンアプリを適用した情報端末装置を含む番組推薦システムの構成の一例の説明図である。
【図６】本発明の実施例1に係る番組推薦システムにおける、複数の使用者についての蓄積視聴情報の総和の算出において重み付けを行う処理の一例の説明図である。
【図７】本発明の実施例1に係る番組推薦システムの他の構成の一例の説明図である。
【図８（ａ）】本発明の実施例２に係る番組推薦装置および情報端末装置のブロック図の一例である。
【図８（ｂ）】本発明の実施例２に係る番組推薦装置および情報端末装置のブロック図の一例である。
【図９（ａ）】本発明の実施例３に係る番組推薦装置および情報端末装置のブロック図の一例である。
【図９（ｂ）】本発明の実施例３に係る番組推薦装置および情報端末装置のブロック図の一例である。
【図１０】本発明の実施例４に係る番組推薦装置のブロック図の一例である。
【図１１】本発明の実施例４における嗜好推測処理の一例の説明図である。
【図１２】本発明の実施例５に係る情報端末装置のブロック図の一例である。
【図１３】本発明の実施例６に係る情報端末装置のブロック図の一例である。
【発明を実施するための形態】
【００１１】
以下、本発明の実施形態の例を、図面を用いて説明する。
【実施例１】
【００１２】
本発明の実施例１について説明する。
【００１３】
図１(a)および図１(ｂ)は本発明の番組推薦装置（１００）および情報端末装置（１２０）を含む番組推薦システムの説明図である。図1の例では、番組推薦装置はデジタル放送受信用テレビとして構成されている。図中、１０１は制御部、１０２はアンテナ、１０３はチューナ、１０４は分離部、１０５は映像デコーダ、１０６は音声デコーダ、１０７は情報処理部、１０８は表示処理部、１０９は嗜好推測部、１１０は表示デバイス、１１１はスピーカ、１１２はデジタル放送受信用テレビ側の送受信処理部ある。また、１２１は携帯情報端末１２０全体の制御を行う制御部であり、プログラムを格納する書き換え可能なＲＯＭ（Ｒｅａｄ  Ｏｎｌｙ  Ｍｅｍｏｒｙ：１２３）及びワークエリアとなるＲＡＭ（Ｒａｎｄｏｍ  Ａｃｃｅｓｓ  Ｍｅｍｏｒｙ：１２４）を有する。ＲＯＭ１２３やＲＡＭ１２４は制御部１２１と一体構成でも良い。１２２はシステム各部とデータ送受信を行うシステムバス、１３０は携帯情報端末１２０の設定や個人情報、ダウンロードしたアプリケーション等を記憶する記憶部である。記憶部１３０はフラッシュメモリやＨＤＤ（Ｈａｒｄ  Ｄｉｓｃ  Ｄｒｉｖｅ）等で構成する。１４１は加速度センサ、１４２はジャイロセンサ、１４３は地磁気センサ、１４４はＧＰＳ（Ｇｌｏｂａｌ  Ｐｏｓｉｔｉｏｎｉｎｇ  Ｓｙｓｔｅｍ）受信部、１４５は照度センサ、１５１は移動体電話網との通信を制御する移動体電話網通信部、１５２はインターネット等のネットワークと無線または有線での通信を制御する携帯情報端末側の送受信処理部、１６１は表示処理部、１６２は表示デバイス、１６３は音声処理部、１６４はスピーカ、１６５は映像入力部、１６６は音声入力部、１７０はタッチパネル若しくは複数キーによる入力を制御する操作部、１８０は外部メモリ媒体とのデータ通信等を行う外部インタフェース部である。
【００１４】
なお、上記構成はあくまでも一例であり、図示した全ての構成を備えていなくても良い。逆に図示されていない構成が追加されていても良い。また、本実施例の携帯情報端末１２０においては、ＲＯＭ１２３に格納されているプログラムは移動体電話網通信部１５１または携帯情報端末側の送受信処理部１５２を介してサーバより新規プログラムをダウンロードして更新することが可能であるものとする。更に、本実施例の携帯情報端末１２０においては、移動体電話網通信部１５１または携帯情報端末側の送受信処理部１５２を介してサーバより新規アプリケーションプログラムをダウンロードして記憶部１３０に格納することが可能であるものとする。サーバよりダウンロードし、記憶部１３０に格納した前記新規アプリケーションプログラムは、ＲＡＭ１２４上に展開してプログラム実行することにより、携帯情報端末１２０の機能を拡張することが可能である。
【００１５】
デジタル放送の放送波はアンテナ１０２で受信された後、チューナ１０３に入力される。チューナ１０３はアンテナ１０２が受信した放送波から使用者が選局したチャンネルの信号を抽出し、ＴＳ（Ｔｒａｎｓｐｏｒｔ  Ｓｔｒｅａｍ）信号に復調する。ＴＳ信号はそれぞれパケット化された映像データと音声データと付随情報データとで構成されており、分離部１０４においてそれぞれが分離される。分離された映像データが映像デコーダ１０５に、分離された音声データが音声デコーダ１０６に、分離された付随情報データが情報処理部１０７にそれぞれ出力される。
【００１６】
映像デコーダ１０５は分離部１０４から出力された映像データをデコードし、映像信号として表示処理部１０８に出力する。表示処理部１０８は入力した映像信号に対して、必要に応じてフォーマット変換、メニューやその他のＯＳＤ（Ｏｎ  Ｓｃｒｅｅｎ  Ｄｉｓｐｌａｙ）信号の重畳処理等を行い、表示デバイス１１０に出力する。表示デバイス１１０は、例えば液晶パネル等の映像表示素子であり、表示処理部１０８から入力した映像信号を表示して使用者に提供する。一方、音声デコーダ１０６は分離部１０４から出力された音声データをデコードし、音声信号としてスピーカ１１１に出力する。また、情報処理部１０７は分離部１０４から出力された付随情報データを処理するものである。制御部１０１は、例えばマイクロコンピュータなどであり、本実施例のデジタル放送受信用テレビ１００の各部を制御する。
【００１７】
通常の視聴動作の際には、使用者がリモコン等を操作して行った選局指示により、制御部１０１がチューナ１０３を制御して所望のチャンネルの信号を抽出する。ここで情報処理部１０７が、制御部１０１の制御に基づき、選局したチャンネルの付随情報データから番組名、ジャンル、出演者名、等の番組情報を取得する。更に制御部１０１は情報処理部１０７で取得した番組情報を視聴情報として、デジタル放送受信用テレビ側の送受信処理部１１２を介して、携帯情報端末１２０に送信する処理を行う。一方、携帯情報端末１２０側においては、制御部１２１の指示に基づき、デジタル放送受信用テレビ１００から送信された視聴情報を、携帯情報端末側の送受信処理部１５２で受信して、記憶部１３０内の視聴情報蓄積部に適宜記憶させていく処理を行う。
【００１８】
ここで、視聴情報とは、使用者が視聴した番組を識別するための情報である。
【００１９】
デジタル放送受信用テレビ１００と携帯情報端末１２０の間の通信は、例えば短距離無線通信等により行うものとし、デジタル放送受信用テレビ１００を視聴可能な距離にある（例えば、デジタル放送受信用テレビ１００と同一部屋に存在する）携帯情報端末にのみ、視聴情報を送るように処理することが望ましい。また、図１(a)及び図１(b)に示した例においては、デジタル放送受信用テレビ１００と携帯情報端末１２０が一対一で通信を行っている例を記載している。しかし、例えば、デジタル放送受信用テレビ１００を視聴可能な距離に複数の携帯情報端末が存在する場合、即ち図２に一例を示すような場合には、デジタル放送受信用テレビ１００は、短距離無線通信により形成されたネットワーク２００を介して、デジタル放送受信用テレビ１００を視聴可能な距離にある複数の携帯情報端末１２０ａ、１２０ｂ、１２０ｃのそれぞれに視聴情報を送信するようにする。
【００２０】
デジタル放送受信用テレビ１００と複数の携帯情報端末１２０ａ、１２０ｂ、１２０ｃを接続するネットワーク２００は、例えばインターネットのような公共通信回線網であっても良い。この場合、デジタル放送受信用テレビ１００と複数の携帯情報端末１２０ａ、１２０ｂ、１２０ｃはインターネット・プロトコル等によって相互接続されることになる。この場合、距離による接続制限を行うことは難しい（即ち、デジタル放送受信用テレビ１００を視聴可能な距離にない携帯情報端末でも接続が可能となる）ため、予め認証処理等を行って、デジタル放送受信用テレビ１００との双方向の通信を確立した携帯情報端末にのみ、視聴情報の送信を行うようにすれば良い。なお、短距離無線通信の場合でも、認証処理を行うように構成しても構わない。
【００２１】
デジタル放送受信用テレビ１００で行われる視聴情報を携帯情報端末１２０へ送信する処理は、チューナ１０３が選局動作を行った直後には実施せずに、例えば、選局した番組の放送時間長に対して５０％以上視聴が続いた場合（放送時間長が６０分の番組なら、３０分程度以上視聴した場合）に実施する、等が望ましい。なお、視聴情報を携帯情報端末１２０に送信する処理を実施するタイミングを、前述では『選局した番組の放送時間長に対して５０％以上視聴が続いた場合』としているが、これを『４０％以上』や『６０％以上』としてもよい。但し、あまり小さい数値とすると、殆ど視聴していない番組にもかかわらず、視聴したこととしてその視聴情報が記憶部１３０内の視聴情報蓄積部に記憶されてしまう。逆にあまり大きい数値とすると、ドラマ等で本編を視聴し終えたにもかかわらず、最後の一部分を見なかったために、その番組そのものを視聴していないものとしてその視聴情報が記憶部１３０内の視聴情報蓄積部に記憶されなくなってしまう。これらの結果、視聴情報に基づいて番組視聴に関する嗜好を推測する処理の際に正確な推測ができなくなる可能性がある。したがって、この数値は小さすぎず大きすぎない適度な値とすることが望ましい。また同一のチャンネルで連続して複数の番組を視聴する際には、それぞれの番組に対して前記の処理（番組の放送時間長に対して例えば、５０％以上視聴が続いた場合に視聴情報の送信処理を実施する）を行うようにする。
【００２２】
また、情報処理部１０７において取得した番組情報を視聴情報として携帯情報端末１２０の記憶部１３０内の視聴情報蓄積部に記憶する処理としては、例えば、制御部１０１が情報処理部１０７において取得した番組情報をそのまま視聴情報として携帯情報端末１２０側に送信し、携帯情報端末１２０側において、携帯情報端末１２０の制御部１２１の制御により、受信した視聴情報からキーワードを抽出して記憶部１３０内の視聴情報蓄積部に記憶させるようにしても良い。また、制御部１０１が情報処理部１０７において取得した番組情報からキーワードを抽出し、抽出したキーワードを視聴情報として携帯情報端末１２０側に送信し、携帯情報端末１２０側において、携帯情報端末１２０の制御部１２１の制御により、受信した視聴情報を記憶部１３０内の視聴情報蓄積部に記憶させるようにしても良い。本実施例では、制御部１０１が情報処理部１０７において取得した番組情報から抽出したキーワードを番組名と併せて視聴情報として携帯情報端末１２０側に送信し、携帯情報端末１２０側において、携帯情報端末１２０の制御部１２１の制御により、受信した視聴情報（キーワード＋番組名）を記憶部１３０内の視聴情報蓄積部に記憶させるように処理するものとする。
【００２３】
図３に本実施例における記憶部１３０内の視聴情報蓄積部に構築されたデータベースの一例を図示する。前述のように、本実施例においては、デジタル放送受信用テレビ１００から携帯情報端末１２０に送信する視聴情報としては、情報処理部１０７において取得した番組情報から抽出したキーワードおよび番組名を用いている。このため、記憶部１３０内の視聴情報蓄積部に構築されるデータベース３２１は、図３に示したように、番組名および関連するキーワードからなる視聴情報が、視聴順（日時順）に積み重ねられた形式で記憶されることになる。
【００２４】
なお、図３に示した例では、一つの番組に関連付けられているキーワードの数を四つとしているが、これは一例であり、記憶可能なキーワードの数は携帯情報端末１２０のシステム構成に応じて適宜設定が可能である。即ち、キーワードの数を少なく設定すれば、必要となるメモリの容量を削減することが可能であるし、逆にキーワードの数を多く設定すれば、後述の番組視聴に関する嗜好推測処理において、より好適な嗜好推測が可能となる。
【００２５】
次に、携帯情報端末１２０の記憶部１３０内の視聴情報蓄積部に構築されたデータベースを用いた、携帯情報端末１２０を所有する使用者の嗜好に応じた番組推薦処理を行う際の動作に関して説明する。
【００２６】
携帯情報端末１２０を所有する使用者がデジタル放送受信用テレビ１００を視聴中に、リモコン等の操作により、デジタル放送受信用テレビ１００に対して推薦番組の表示を要求した場合、制御部１０１は、まずデジタル放送受信用テレビ側の送受信処理部１１２を介して、携帯情報端末１２０に番組推薦のための蓄積視聴情報の送信を要求する。デジタル放送受信用テレビ１００からの要求を受け付けた携帯情報端末１２０は、制御部１２１の指示により、記憶部１３０内の視聴情報蓄積部に蓄積されている視聴情報、即ち本実施例の場合では図３に示したデータベース３２１の全内容を、携帯情報端末１２０の送受信処理部１５２を介してデジタル放送受信用テレビ１００に、番組推薦のための蓄積視聴情報として送信する。
【００２７】
携帯情報端末１２０から送信され、デジタル放送受信用テレビ側の送受信処理部１１２で受信した番組推薦のための蓄積視聴情報は嗜好推測部１０９に入力され、ここで携帯情報端末１２０を所有する使用者の番組視聴に関する嗜好の推測処理が行われる。本実施例では、携帯情報端末１２０から送信された番組推薦のための蓄積視聴情報（即ち、図３に示したデータベース３２１の全内容）を、キーワード毎にその出現回数を集計することによって、嗜好推測結果とみなすものとする。
【００２８】
例えば、デジタル放送受信用テレビ１００が受信した番組推薦のための蓄積視聴情報に、『野球』というキーワードが７回、『温泉』というキーワードが６回、『長野』というキーワードが４回、『グルメ』というキーワードが３回、『推理』というキーワードが２回、出現した場合には、キーワード『野球』：７点、キーワード『温泉』：６点、キーワード『長野』：４点、キーワード『グルメ』：３点、キーワード『推理』：２点、というように点数化することにより、この携帯情報端末１２０の所有者は、キーワード点数上位の『野球』や『温泉』に関する番組を好む傾向にある、と推測する。
【００２９】
デジタル放送では、付随情報データとして、現在放映中の番組の番組情報のほかに、各チャンネルにおける一週間程度先までの放映予定の番組の番組情報が含まれていることが一般的である。制御部１０１は、前記一週間程度先までの放映予定の番組情報群に対して、嗜好推測部１０９で推測した前記嗜好推測結果（キーワード点数上位のキーワード群）を用いて検索を行う。この処理により、例えば前述の例では、『野球』や『温泉』といったキーワードを有する番組情報が抽出されることになる。この抽出された番組情報が、即ち推薦すべき番組の番組情報であり、制御部１０１は情報処理部１０７で取得した番組情報の中から抽出した推薦すべき番組の番組情報を表示処理部１０８に出力し、表示処理部１０８において、放映中の番組映像への重畳処理、或いは放映中の番組映像との差し替え処理等を行って、表示デバイス１１０に表示する。表示方法としては、例えば、電子番組表内の該当する番組に推薦番組である旨のマークを付加しても良いし、推薦番組のみを羅列する推薦番組専用表示画面を用意しても良い。この結果、携帯情報端末１２０を所有する使用者は、自身の行った推薦番組の表示要求に対する処理結果を表示デバイス１１０で確認することが可能となる。なお、嗜好推測部１０９と制御部１０１とは、一体の推薦番組選択部として構成してもよい。
【００３０】
以上説明したように、本発明の番組推薦装置および情報端末装置を、若しくは番組推薦システムを、本実施形態の如く適用することにより、デジタル放送受信用テレビ１００の使用者は、使用者自身の所有する携帯情報端末１２０に蓄積された過去の番組視聴履歴に基づき、他者の過去の視聴履歴に左右されること無く、自身にとって最も好適な番組推薦結果を得ることが可能となる。なお、携帯情報端末側に蓄積された過去の番組視聴履歴を用いて番組推薦処理を行うので、上述の携帯情報端末１２０とは異なる、本発明の情報端末装置を適用した別の個体の携帯情報端末を所有した使用者がデジタル放送受信用テレビ１００を使用した場合であっても、前記別の携帯情報端末を所有した使用者にとって好適な番組推薦結果を得ることが可能となる。
【００３１】
なお、図２に一例を示したように、デジタル放送受信用テレビ１００を視聴する使用者が同時に複数存在し、それぞれの携帯情報端末が番組推薦のための蓄積視聴情報を送信可能な状態にある場合には、前記複数の使用者の所有する携帯情報端末のうちのいずれか一台から取得した番組推薦のための蓄積視聴情報のみを使用して番組視聴に関する嗜好推測処理を行っても良い。また、あえて前記複数の使用者の所有する携帯情報端末から取得したそれぞれの番組推薦のための蓄積視聴情報の総和をもって番組視聴に関する嗜好推測処理を行っても良い。
【００３２】
例えば、図２に示したように、デジタル放送受信用テレビ１００を同時に視聴する使用者が三名であって、三名の使用者の所有する携帯情報端末１２０ａ、１２０ｂ、１２０ｃのうちのいずれか一台から取得した番組推薦のための蓄積視聴情報のみを使用して番組視聴に関する嗜好推測処理を行う場合について説明する。三名の使用者のいずれかがリモコン等の操作によりデジタル放送受信用テレビ１００に対して推薦番組の表示を要求した際に、デジタル放送受信用テレビ１００の有するＯＳＤ表示機能等により、携帯情報端末１２０ａ、１２０ｂ、１２０ｃのいずれの携帯情報端末の視聴情報蓄積部に蓄積されている視聴情報に基づいて番組視聴に関する嗜好の推測を行うか、若しくは携帯情報端末１２０ａ、１２０ｂ、１２０ｃのいずれの携帯情報端末から送信された番組推薦のための蓄積視聴情報に基づいて番組視聴に関する嗜好の推測を行うか、を使用者に選ばせるようにする。この処理により、選択された携帯情報端末に蓄積された、選択された携帯情報端末を所有する使用者の過去の番組視聴履歴に基づき、好適な番組推薦結果を得ることが可能となる。この場合、選択されなかった携帯情報端末に蓄積された過去の視聴履歴に左右されることが無い。
【００３３】
次に、デジタル放送受信用テレビ１００の嗜好推測部１０９における他の動作の一例について図４を用いてを説明する。図４の例では、前記複数の使用者の所有する携帯情報端末から取得したそれぞれの番組推薦のための蓄積視聴情報の総和をもって番組視聴に関する嗜好推測処理を行う。
【００３４】
例えば、図２に示したように、デジタル放送受信用テレビ１００を同時に視聴する使用者が三名であって、三名の使用者がそれぞれ携帯情報端末１２０ａ、１２０ｂ、１２０ｃを所有するとする。それぞれの端末から番組推薦のための蓄積視聴情報を受信したデジタル放送受信用テレビ１００は、制御部１０１の制御により、デジタル放送受信用テレビ側の送受信処理部１１２で受信したそれぞれの番組推薦のための蓄積視聴情報を嗜好推測部１０９に入力する。次に嗜好推測部１０９において、携帯情報端末１２０ａ、１２０ｂ、１２０ｃから送信されたそれぞれの番組推薦のための蓄積視聴情報毎にキーワードの出現回数の集計および点数化を行い、集計結果を得る。
【００３５】
携帯情報端末１２０ａ、１２０ｂ、１２０ｃのそれぞれから送信された番組推薦のための蓄積視聴情報をキーワード集計および点数化したものが、図４に示す集計結果４０９ａ、４０９ｂ、４０９ｃである。このとき、嗜好推測部１０９は、集計結果４０９ａ、４０９ｂ、４０９ｃから更に、総和結果である総集計結果４０９ｄを得る。この総集計結果４０９ｄを前記三名の使用者の嗜好の総和である嗜好推測結果とし、制御部１０１は、前記嗜好推測結果を用いて、情報処理部１０７で取得した一週間程度先までの放映予定の番組情報群に対して検索を行う。この検索処理により抽出された番組情報を推薦すべき番組情報として表示デバイス１１０に表示することにより、デジタル放送受信用テレビ１００を同時に視聴する前記三名の使用者に共通して好適な番組推薦結果を得ることが可能となる。
【００３６】
なお、前述の、嗜好推測部１０９で行なわれる三名の使用者の嗜好の総和である総集計結果の算出処理において、携帯情報端末１２０ａ、１２０ｂ、１２０ｃから送信されたそれぞれの番組推薦のための蓄積視聴情報から、キーワードの出現回数の集計および点数化を一括で行い、各個の集計結果４０９ａ、４０９ｂ、４０９ｃの状態を経ることなく、直接総集計結果４０９dを算出しても良いことは、言うまでもない。
【００３７】
また、本発明の情報端末装置を適用した携帯情報端末や番組推薦システムにおいて、携帯情報端末をデジタル放送受信用テレビのリモコンとして使用するアプリケーションプログラムを携帯情報端末のＲＯＭ１２３や記憶部１３０などに格納してもよい。アプリケーションプログラムは携帯情報端末１２０の製造時に格納していてもよく、電話網通信部１５１やＬＡＮ通信部１５２を介して外部の装置から取得してもよい。
【００３８】
図５には、ネットワーク２００を介してデジタル放送受信用テレビ１００と接続された携帯情報端末１２０ｂ、１２０ｃ、１２０ｄが示されている。図５を用いて、携帯情報端末１２０ｄを所有する使用者が、アプリケーション追加により携帯情報端末１２０ｄをデジタル放送受信用テレビ１００のリモコンとして活用し、デジタル放送受信用テレビ１００を主体的に操作／視聴する場合の例について説明する。
【００３９】
図５に示した例において、例えば、携帯情報端末１２０ｄを所有する使用者が、携帯情報端末１２０ｄをデジタル放送受信用テレビ１００のリモコンとして活用し、デジタル放送受信用テレビ１００に対して推薦番組の表示を要求した場合について説明する。なお、リモコンとして活用するためには、例えば、内蔵するアプリケーションにより、携帯情報端末１２０ｄの表示デバイス上に電子番組表等を表示し、その中から選択した番組の視聴を指示する指示情報を生成し、前記デジタル放送受信用テレビに送信するように構成すればよい。なお、当該アプリケーションは、携帯情報端末１２０ｄの記憶部やＲＯＭに格納しておけばよい。アプリケーションの記憶部やＲＯＭへの格納方法としては、携帯情報端末の出荷時に予め格納しておいてもよい。また、携帯情報端末１２０ｄの電話網通信部またはＬＡＮ通信部などを介して接続されるネットワーク上のサーバーからアプリケーションプログラムをダウンロードして記憶部やＲＯＭへ格納してもよい。
【００４０】
ここで、嗜好推測部１０９で行われる三名の使用者の嗜好の総和である総集計結果を算出する処理において、図６に示す処理をおこなってもよい。図６では、携帯情報端末１２０ｄから送信された番組推薦のための蓄積視聴情報からキーワード集計および点数化を行った集計結果６０９ｄと、携帯情報端末１２０ｂ、１２０ｃから送信された番組推薦のための蓄積視聴情報からキーワード集計および点数化を行った集計結果６０９ｂおよび集計結果６０９ｃとを加算する際に、異なる係数を乗じるなどにより重み付けに差をつけている。図６に示したように、それぞれの集計結果を加算する際、デジタル放送受信用テレビ１００を主体的に操作／視聴する使用者の所有する携帯情報端末１２０ｄから送信された番組推薦のための蓄積視聴情報に基づく集計結果６０９ｄに対しては係数『１．０』を乗じ、デジタル放送受信用テレビ１００を受動的に視聴する使用者の所有する携帯情報端末１２０ｂ、１２０ｃから送信された番組推薦のための蓄積視聴情報に基づく集計結果６０９ｂ、６０９ｃに対しては係数『０．５』を乗じて、総和を算出するようにする。前記処理により得られた総集計結果６０９を用いて、情報処理部１０７で取得した一週間程度先までの放映予定の番組情報群に対して検索を行うことにより、携帯情報端末１２０ｂ、１２０ｃ、１２０ｄを所有する三名の使用者に対して共通して推薦すべき番組の情報であって、且つデジタル放送受信用テレビ１００を主体的に操作／視聴する、携帯情報端末１２０ｄを所有する使用者の嗜好をやや優先した番組推薦が可能となる。
【００４１】
なお、上述の例では、デジタル放送受信用テレビ１００における、視聴情報を携帯情報端末１２０に送信する処理および携帯情報端末１２０から送信された番組推薦のための蓄積視聴情報を受信する処理を一括してデジタル放送受信用テレビ側の送受信処理部１１２で行うものとして説明している。しかし、デジタル放送受信用テレビ側の送信処理部とデジタル放送受信用テレビ側の受信処理部とを別途用意してもよい。この場合、視聴情報を携帯情報端末１２０に送信する処理を前記デジタル放送受信用テレビ側の送信処理部において行い、携帯情報端末１２０から送信された番組推薦のための蓄積視聴情報を受信する処理を前記デジタル放送受信用テレビ側の受信処理部において行うようにすればよい。
【００４２】
同様に、上述の例では、携帯情報端末１２０における、デジタル放送受信用テレビ１００から送信された視聴情報を受信する処理および番組推薦のための蓄積視聴情報をデジタル放送受信用テレビ１００に送信する処理を一括して携帯情報端末側の送受信処理部１５２で行うものとして説明している。これについても、携帯情報端末側の受信処理部と携帯情報端末側の送信処理部とを別途用意してもよい。この場合、デジタル放送受信用テレビ１００から送信された視聴情報を受信する処理を前記携帯情報端末側の受信処理部において行い、番組推薦のための蓄積視聴情報をデジタル放送受信用テレビ１００に送信する処理を携帯情報端末側の送信処理部において行うようにすればよい。
【００４３】
次に、図７を用いて、本発明の番組推薦装置および情報端末装置をデジタル放送受信用テレビおよび携帯情報端末に適用し、番組推薦システムを構成した場合の他の例について説明する。
【００４４】
図７の例において、携帯情報端末１２０を所有する使用者が、通常時には、ネットワーク２００ａを介して接続されたデジタル放送受信用テレビ１００ａを使用しているものとする。この場合、携帯情報端末１２０の記憶部１３０内の視聴情報蓄積部には、デジタル放送受信用テレビ１００ａの視聴を繰り返すことにより得られた過去の視聴履歴がデータベースとして構築されている。ここで、携帯情報端末１２０を所有する使用者がデジタル放送受信用テレビ１００ａに対して推薦番組の表示を要求した場合には、上述の例で説明したように、デジタル放送受信用テレビ１００ａが、携帯情報端末１２０から受信した番組推薦のための蓄積視聴情報から、携帯情報端末１２０を所有する使用者の番組視聴に関する嗜好を推測して、推薦すべき番組の番組情報を表示することが可能である。
【００４５】
ここで、例えば携帯情報端末１２０を所有する使用者が移動し、移動先でデジタル放送受信用テレビ１００ｂを使用する場合、移動先に携帯情報端末１２０を携行し、ネットワーク２００ｂを介してデジタル放送受信用テレビ１００ｂと接続させる。これにより、デジタル放送受信用テレビ１００ａを使用している場合と同様に、携帯情報端末１２０を所有する使用者に好適な番組推薦情報をデジタル放送受信用テレビ１００ｂに表示させることが可能となる。即ち、本発明の装置およびシステムにおいては、携帯情報端末１２０を所有する使用者の過去の視聴履歴のデータベースは、通常使用するデジタル放送受信用テレビ１００ａではなく、携帯情報端末１２０に蓄積されている。これにより、使用するデジタル放送受信用テレビがデジタル放送受信用テレビ１００ａからデジタル放送受信用テレビ１００ｂに変更された場合においても、デジタル放送受信用テレビ１００ｂが携帯情報端末１２０から受信した番組推薦のための蓄積視聴情報に基づいて、携帯情報端末１２０を所有する使用者の番組視聴に関する嗜好を推測することが可能となり、その結果、移動先においてもより好適な推薦すべき番組情報の抽出が可能となる。例えば、携帯情報端末１２０を所有する使用者が旅行等を行った場合、旅先のデジタル放送受信用テレビが本発明に係る番組推薦装置である場合などには、当該使用者は旅行先においてもより好適な推薦番組情報を取得できる。
【００４６】
同様に、例えば、デジタル放送受信用テレビ１００ａをデジタル放送受信用テレビ１００ｃに買い換えた場合等でも、使用者の過去の視聴履歴は携帯情報端末１２０に存在するため、デジタル放送受信用テレビをデジタル放送受信用テレビ１００ａからデジタル放送受信用テレビ１００ｃに変更した直後から、携帯情報端末１２０を所有する使用者に好適な推薦すべき番組情報の抽出が可能となる。
【００４７】
以上説明した本発明の実施例1によれば、より好適な番組推薦を行うことが可能となる。
【実施例２】
【００４８】
次に、図８(a)および図８(ｂ)を用いて、本発明の実施例２に係る番組推薦装置（８００）および情報端末装置（８２０）を含む番組推薦システムについて説明する。図８の例では、番組推薦装置はデジタル放送受信用テレビとして構成されている。なお、図中、実施例１と同一の符号を有するものは実施例１と同一の構成／動作であるものとし、説明を省略する。また、８１２はデジタル放送受信用テレビ側の送受信処理部、８３０は嗜好推測部である。
【００４９】
本実施例においても、通常の視聴動作の際の処理は実施例１と同様である。即ち、制御部１０１が、情報処理部１０７で取得した番組情報を視聴情報としてデジタル放送受信用テレビ側の送受信処理部８１２を介して携帯情報端末８２０に送信する。携帯情報端末８２０側において、制御部１２１の制御に基づき、デジタル放送受信用テレビ８００から送信された視聴情報を携帯情報端末側の送受信処理部１５２で受信して、記憶部１３０内の視聴情報蓄積部に適宜記憶させていく。また、デジタル放送受信用テレビ８００から携帯情報端末８２０へ送信される視聴情報の構成、記憶部１３０内の視聴情報蓄積部に構築されるデータベースも実施例１と同様のものでよいので説明を省略する。
【００５０】
ここで、携帯情報端末８２０の記憶部１３０内の視聴情報蓄積部に構築されたデータベースを用いた、携帯情報端末８２０を所有する使用者の嗜好に応じた番組推薦処理を行う際の動作は、実施例１とは異なる。当該動作について、以下に説明する。
【００５１】
携帯情報端末８２０を所有する使用者がデジタル放送受信用テレビ８００を視聴中に、リモコン等の操作により、デジタル放送受信用テレビ８００に対して推薦番組の表示を要求した場合、制御部１０１はデジタル放送受信用テレビ側の送受信処理部８１２を介して、携帯情報端末８２０に番組推薦情報の送信を要求する。デジタル放送受信用テレビ８００からの要求を受け付けた携帯情報端末８２０は、制御部１２１の指示により、記憶部１３０内の視聴情報蓄積部に蓄積されている視聴情報、即ち図３に示したデータベース３２１の全内容を読み出し、嗜好推測部８３０に入力する。嗜好推測部８３０では、入力したデータベースの全内容からキーワード毎にその出現回数を集計して更に点数化した集計結果を算出する。更に、携帯情報端末８２０の制御部１２１は嗜好推測部８３０で算出した集計結果を、番組推薦情報として携帯情報端末側の送受信処理部１５２を介してデジタル放送受信用テレビ８００に送信する。
【００５２】
携帯情報端末８２０から送信され、デジタル放送受信用テレビ側の送受信処理部８１２で受信した番組推薦情報に基づいて、制御部１０１は、情報処理部１０７で取得した一週間程度先までの放映予定の番組情報群に対して検索を行い、その結果、推薦すべき番組の番組情報が抽出されることになる。前記推薦すべき番組の番組情報は表示処理部１０８に出力される。このとき、表示処理部１０８において、放映中の番組映像への重畳処理、或いは放映中の番組映像との差し替え処理等が行われて、表示デバイス１１０に表示される。その結果、携帯情報端末８２０を所有する使用者は、自身の行った推薦番組の表示要求に対する処理結果を表示デバイス１１０で確認することが可能となる。
【００５３】
以上説明したように、本発明の実施例２の番組推薦装置および情報端末装置、若しくは番組推薦システムでは携帯情報端末８２０側において嗜好推測処理を行う。この構成によっても実施例１の構成の場合と同様の効果を得ることが可能となる。また、実施例２の構成の場合、携帯情報端末８２０からデジタル放送受信用テレビ８００に送信される番組推薦情報は、記憶部１３０内の視聴情報蓄積部に蓄積されている視聴情報を集計した結果である。よって、実施例１において携帯情報端末１２０からデジタル放送受信用テレビ１００に送信される番組推薦のための蓄積視聴情報と比較して、送信するデータ量が削減されることが期待できる。
【００５４】
なお、実施例２の構成であっても、使用するデジタル放送受信用テレビが変更された場合であっても、携帯情報端末の使用者に好適な番組情報の提供が可能となる。また、デジタル放送受信用テレビ８００におけるデジタル放送受信用テレビ側の送受信処理部８１２を、デジタル放送受信用テレビ側の送信処理部とデジタル放送受信用テレビ側の受信処理部とで置き換えてもよい。また、携帯情報端末８２０における携帯情報端末側の送受信処理部１５２を、携帯情報端末側の受信処理部と携帯情報端末側の送信処理部とで置き換えてもよい。
【００５５】
以上説明した本発明の実施例２によれば、より好適な番組推薦を行うことが可能となる。また、実施例１に比べて、デジタル放送受信用テレビと携帯情報端末との間で送信する情報の量を低減することが可能となる。
【実施例３】
【００５６】
図９(a)及び図９(b)は、図８(a)及び図８(b)を用いて説明した実施例２における携帯情報端末８２０を、異なる構成を有する別の携帯情報端末（９２０）と置き換えた例を示している。図中、実施例１または実施例２と同一の符号を有するものは実施例１または実施例２と同一の構成／動作であるものとし、説明を省略する。また、９３０は嗜好データベースである。
【００５７】
本実施例において、通常の視聴動作の際には、制御部１０１が、情報処理部１０７で取得した番組情報を、視聴情報としてデジタル放送受信用テレビ側の送受信処理部８１２を介して携帯情報端末９２０に送信する。携帯情報端末９２０側において、制御部１２１の制御に基づき、デジタル放送受信用テレビ８００から送信された視聴情報を携帯情報端末側の送受信処理部１５２で受信して、嗜好データベース９３０に適宜記憶させていく。但し、本実施例の装置／システムにおいては、前記携帯情報端末側の送受信処理部１５２で受信した視聴情報を嗜好データベース９３０に書き込む際には、実施例２の装置／システムのように、視聴情報を記憶部１３０内の視聴情報蓄積部に、図３に示したデータベース３２１の形式で記憶させるのではなく、前記携帯情報端末側の送受信処理部１５２で受信した視聴情報に含まれるキーワードを、既に嗜好データベース９３０に記憶されているキーワード群と併せて、キーワードの出現回数の集計および点数化を行いつつ、図４または図６に示した集計結果の形式で記憶させていくようにする。即ち、本実施例の装置／システムにおける嗜好データベース９２４は、図８に示した実施例２の装置／システムにおける記憶部１３０内の視聴情報蓄積部の機能と嗜好推測部８３０の機能を併せ持った部位となる。
【００５８】
携帯情報端末９２０の嗜好データベース９３０に構築された嗜好集計結果を用いた、携帯情報端末９２０を所有する使用者の嗜好に応じた番組推薦処理を行う際の動作は、本実施例では以下のようになる。
【００５９】
携帯情報端末９２０を所有する使用者がデジタル放送受信用テレビ８００を視聴中に、リモコン等の操作により、デジタル放送受信用テレビ８００に対して推薦番組の表示を要求した場合、制御部１０１は、デジタル放送受信用テレビ側の送受信処理部８１２を介して、携帯情報端末９２０に嗜好集計結果の送信を要求する。デジタル放送受信用テレビ８００からの要求を受け付けた携帯情報端末９２０は、制御部１２１の指示により、嗜好データベース９３０に記憶されている嗜好集計結果を携帯情報端末側の送受信処理部１５２を介してデジタル放送受信用テレビ８００に送信する。
【００６０】
携帯情報端末９２０から送信され、デジタル放送受信用テレビ側の送受信処理部８１２で受信した嗜好集計結果に基づいて、制御部１０１は、情報処理部１０７で取得した一週間程度先までの放映予定の番組情報群に対して検索を行い、その結果、推薦すべき番組の番組情報が抽出されることになる。前記推薦すべき番組の番組情報は表示処理部１０８に出力され、表示処理部１０８において、放映中の番組映像への重畳処理、或いは放映中の番組映像との差し替え処理等が行われて、表示デバイス１１０に表示される。その結果、携帯情報端末９２０を所有する使用者は、自身の行った推薦番組の表示要求に対する処理結果を表示デバイス１１０で確認することが可能となる。
【００６１】
以上説明した実施例３の構成であっても、使用するデジタル放送受信用テレビが変更された場合であっても、携帯情報端末の使用者に好適な番組情報の提供が可能となる。また、本実施例の構成の場合、嗜好データベース９３０を構成するメモリの容量を、記憶部１３０内の視聴情報蓄積部を構成するメモリの容量と比較して削減することが期待できる。
【００６２】
なお、本実施例の構成であっても、同一のネットワーク上に複数の携帯情報端末が存在する場合でも、使用するデジタル放送受信用テレビが変更された場合でも、携帯情報端末の使用者に好適な番組情報の提供が可能となる。また、携帯情報端末９２０における携帯情報端末側の送受信処理部１５２を、携帯情報端末側の受信処理部と携帯情報端末側の送信処理部とで置き換えてもよい。
【００６３】
以上説明した本発明の実施例３によれば、より好適な番組推薦を行うことが可能となる。また、実施例１または実施例２に比べて、嗜好データベースを格納するメモリの容量を削減することが可能となる。
【実施例４】
【００６４】
図１０は、本発明の実施例４を示している。なお、本実施例の構成は、本発明の情報端末装置を適用した携帯情報端末やネットワークと共にシステムを構築するものではなく、本発明の番組推薦装置を適用したデジタル放送受信用テレビ１０００とそれに接続する記録媒体のみで、上述の各実施例の構成と同様の効果を得ることが可能となる構成の例である。
【００６５】
なお、図１０において、上述の各実施例と同一の符号を有するものは上述の各実施例と同一の構成／動作であるものとし、説明を省略する。また、１０１３はメモリインタフェース、１０３０は例えばフラッシュメモリのような記憶媒体である。当該記憶媒体１０３０は、使用者がそれぞれ管理し、デジタル放送受信用テレビ１０００のメモリインタフェース１０１３に着脱可能なリムーバブルな記録媒体である。使用者は、デジタル放送受信用テレビ１０００を使用する際に自己の管理する記憶媒体１０３０をデジタル放送受信用テレビ１０００のメモリインタフェース１０１３に装着する。
【００６６】
通常の視聴動作において、使用者がリモコン等を操作して選局指示を行った際には、制御部１０１が、チューナ１０３を制御して所望のチャンネルの信号を抽出する。また、情報処理部１０７が、制御部１０１の制御に基づき、選局したチャンネルの付随情報データから番組名、ジャンル、出演者名、等の番組情報を取得する。更に制御部１０１は情報処理部１０７で取得した番組情報を視聴情報としてメモリインタフェース１０１３を介して記憶媒体１０３０に適宜記憶させていく処理を行う。なお、本実施例においても、記憶媒体１０３０に記憶させる視聴情報は、制御部１０１が情報処理部１０７において取得した番組情報から抽出したキーワードと番組名とを併せたものであることとし、記憶媒体１０３０には図３に示したデータベース３２１の形式で記憶させるものとする。
【００６７】
次に、記憶媒体１０３０に構築されたデータベースを用いた、記憶媒体１０３０を管理する使用者の嗜好に応じた番組推薦処理を行う際の動作に関して、以下に説明する。
【００６８】
記憶媒体１０３０を管理する使用者がデジタル放送受信用テレビ１０００を視聴中に、リモコン等の操作により、デジタル放送受信用テレビ１０００に対して推薦番組の表示を要求した場合、制御部１０１はメモリインタフェース１０１３を介して、記憶媒体１０３０からデータベースの全内容を読み込み、嗜好推測部１０９に入力する。以降、嗜好推測部における、使用者の番組視聴に関する嗜好の推測処理、情報処理部１０７で取得した一週間程度先までの放映予定の番組情報群に対する嗜好推測結果を用いた検索処理、表示処理部１０８および表示デバイス１１０における推薦すべき番組情報の表示処理、等は、実施例１と同様であるので説明を省略する。
【００６９】
以上説明したように、本発明の実施例４によれば、デジタル放送受信用テレビ１０００の使用者は、使用者自身の管理する記憶媒体１０３０に蓄積された、自身の過去の番組視聴履歴に基づき、他者の過去の視聴履歴に左右されること無く、自身にとってより好適に番組推薦結果を得ることが可能となる。また、本実施例の構成では、携帯情報端末を必要とせず、ネットワークを介した接続によるシステムの構築も不要となり、より簡易に推薦番組の情報を得ることが可能となる。
【００７０】
なお、例えば、図１１に示すように、デジタル放送受信用テレビ１０００を同時に視聴する使用者が三名存在し、それぞれの使用者が自身の過去の視聴履歴のデータベースを記憶する記憶媒体１０３０ａ、１０３０ｂ、１０３０ｃを管理している場合、デジタル放送受信用テレビ１０００のメモリインタフェース１０１３に記憶媒体１０３０ａが接続された場合には、記憶媒体１０３０ａに記録される、記憶媒体１０３０ａを管理する使用者の過去の視聴履歴に基づいて番組視聴に関する嗜好推測処理が行われる。また、デジタル放送受信用テレビ１０００のメモリインタフェース１０１３に記憶媒体１０３０ｂが接続された場合には、記憶媒体１０３０ｂに記録される、記憶媒体１０３０ｂを管理する使用者の過去の視聴履歴に基づいて、番組視聴に関する嗜好推測処理が行われることになる。
【００７１】
また、使用者が管理する記憶媒体を携行することにより、通常使用するデジタル放送受信用テレビと異なるデジタル放送受信用テレビで視聴する場合においても、携行した記憶媒体を前記異なるデジタル放送受信用テレビのメモリインタフェースと接続させることにより、自身の過去の視聴履歴に基づく好適な番組推薦結果を得ることが可能となる。
【００７２】
以上説明した本発明の実施例４によれば、より好適な番組推薦を行うことが可能となる。また、実施例１乃至実施例３の構成に比べて、より簡便な構成でこれを実現することができる。
【実施例５】
【００７３】
図１２は、本発明の実施例５を示している。本実施例の構成における携帯情報端末１２２０では、携帯情報端末１２２０の所有者の過去の視聴履歴に基づいて抽出した、推薦すべき番組情報を携帯情報端末１２２０にて確認することが可能な装置としている。図中、１２９１は放送受信部、１２９２は情報処理部、また、１２００は放送受信装置である。その他、上述の各実施例と同一の符号を有するものは上述の各実施例と同一の構成／動作であるものとし、説明を省略する。
【００７４】
通常の視聴動作時、携帯情報端末１２２０に視聴情報を送信可能な放送受信装置１２００（上述の実施例の番組推薦装置と同様の構成である）に対して、使用者がリモコン等を操作して選局指示を行い、放送受信装置１２００が携帯情報端末１２２０に対して視聴情報を送信するまでの動作は、実施例２と同様に行われる。携帯情報端末１２２０は、制御部１２１の制御に基づき、放送受信装置１２００から送信された視聴情報を携帯情報端末側の受信処理部１５２で受信して、記憶部１３０内の視聴情報蓄積部に適宜記憶させていく。ここで、放送受信装置１２００から携帯情報端末１２２０へ送信される視聴情報の構成、記憶部１３０内の視聴情報蓄積部に構築されるデータベースは実施例１または実施例２と同様のものであるとする。
【００７５】
携帯情報端末１２２０の記憶部１３０内の視聴情報蓄積部に構築されたデータベースを用いた、携帯情報端末１２２０を所有する使用者の嗜好に応じた番組推薦処理を行う際の動作は以下のようになる。
【００７６】
携帯情報端末１２２０を所有する使用者が携帯情報端末１２２０を操作して推薦番組の表示を行おうとした場合、携帯情報端末１２２０の制御部１２１は、記憶部１３０内の視聴情報蓄積部に蓄積されている視聴情報（データベースの全内容）を読み出し、嗜好推測部８３０に入力する。嗜好推測部８３０では、制御部１２１の指示により、入力したデータベースの全内容からキーワード毎にその出現回数を集計して更に点数化した集計結果を算出する。
【００７７】
ここで、携帯情報端末１２２０は、アンテナ、チューナ、デコーダ等の機能を有した放送受信部１２９１を備え、デジタル放送の放送波を受信可能である。放送受信部１２９１で受信したデジタル放送の放送波から情報処理部１２２７で取得した一週間程度先までの放映予定の番組情報群に対して、前記嗜好推測部８３０で得られた集計結果を用いて検索を行う。検索結果は、制御部１２１の制御に基づき、表示デバイス１６２に表示され、その結果、携帯情報端末１２２０を所有する使用者は、自身の行った推薦番組の表示操作に対する処理結果を、携帯情報端末１２２０の表示デバイス１６２で確認することが可能となる。なお、情報処理部１２２７で取得する一週間程度先までの放映予定の番組情報群は、上述の例では放送受信部１２９１を介して取得することとしたが、電話網通信部１５１や、ＬＡＮ通信部１５２を介して接続されるネットワーク上のサーバから取得してもよい。
【００７８】
以上説明した本発明の実施例５の構成によっても、より好適な番組推薦を行うことが可能となる。
【００７９】
なお、本実施例の構成の携帯情報端末１２２０の場合、記憶部１３０内の視聴情報蓄積部に記憶された視聴情報（過去の視聴履歴）から使用者自身の番組視聴に関する嗜好を推測し、推薦番組を表示デバイス１６２に表示するまでの一連の処理は、放送受信装置１２００と接続することなく行うことが可能である。即ち、周囲にデジタル放送を受信可能な機器が無い状況においても、一週間程度先までの放映予定の番組情報群から、自身の嗜好に適した番組の番組情報を確認することが可能となる。
【００８０】
また、本発明の実施例５の構成においても、記憶部１３０内の視聴情報蓄積部と嗜好推測部８３０は、嗜好データベースと置き換えることが可能である。
【実施例６】
【００８１】
図１３は、本発明の実施例６を示す。本実施例の携帯情報端末１３２０では、番組推薦機能や視聴情報の送信機能を持たないデジタル放送受信用テレビである放送受信装置（１３００）と組み合わせて使用した際にも、携帯情報端末１３２０の所有者の過去の視聴履歴に基づいて抽出した、推薦すべき番組情報を携帯情報端末１３２０にて確認することを可能としている。
【００８２】
図中、１３９１は視聴指示部、１３９２は番組情報取得部、１３９３は推薦番組抽出部である。その他、上述の各実施例と同一の符号を有するものは上述の各実施例と同一の構成／動作であるものとし、説明を省略する。
【００８３】
また、本携帯情報端末１３２０は、内蔵するアプリケーションにより、デジタル放送受信用テレビのリモコンとして活用が可能なものである。例えば、当該アプリケーションにより、携帯情報端末１３２０の表示デバイス１６２上に電子番組表等を表示し、その中から選択した番組の視聴を指示する指示情報を生成し、前記デジタル放送受信用テレビ（本実施例における放送受信装置１３００）に送信することが可能である。なお、当該アプリケーションは、記憶部１３０やＲＯＭ１２３に格納しておけばよい。アプリケーションの記憶部１３０やＲＯＭ１２３への格納方法としては、携帯情報端末１３２０の出荷時に予め格納しておいてもよい。また、電話網通信部１５１またはＬＡＮ通信部１５２などを介して接続されるネットワーク上のサーバーからアプリケーションプログラムをダウンロードして記憶部１３０やＲＯＭ１２３へ格納してもよい。
【００８４】
通常視聴時、携帯情報端末１３２０を所有する使用者は、携帯情報端末１３２０の有するリモコン機能を活用してデジタル放送受信用テレビである放送受信装置１３００を操作／視聴する。この際、携帯情報端末１３２０においては、以下の動作が行われる。
【００８５】
制御部１２１の指示により、情報取得部１３９２は、デジタル放送の放送波から、或いはインターネット等のネットワーク経由で、番組情報を取得する。取得した番組情報を表示処理部１６１を介して表示デバイス１６２に、例えば電子番組表の形式で表示する。携帯情報端末１３２０を所有する使用者は、表示デバイス１６２に表示された電子番組表等を確認し、自身の視聴したい番組を選択する。携帯情報端末１３２０を所有する使用者の選択に基づき、視聴指示部１３９１は、携帯情報端末側の送信処理部１５２を介してデジタル放送受信用テレビである放送受信装置１３００へ視聴指示を行う。なお、放送受信装置１３００への視聴指示は以下のように行う。まず、携帯情報端末１３２０を所有する使用者の選択に基づき、視聴指示部１３９１において、デジタル放送受信用テレビである放送受信装置１３００が認識可能な選局指示情報を生成する。携帯情報端末側のＬＡＮ通信部１５２から選局指示情報をデジタル放送受信用テレビである放送受信装置１３００に出力すればよい。なお、選局指示情報の送受信の構成は、放送受信装置１３００が受信可能なフォーマットであればよく、上述の例に限られない。例えば、携帯情報端末１３２０に赤外線信号送信部を別途設けて、赤外線信号等に変換して放送受信装置１３００へ出力してもよい。放送受信装置１３００ではリモコン信号を受光する赤外線受光部等で当該赤外線信号を受信すればよい。
【００８６】
また、視聴指示部１３９１は、放送受信装置１３００に対する視聴指示を行う。また、視聴指示部１３９１は携帯情報端末１３２０を所有する使用者が選択した番組の番組情報を、視聴情報として記憶部１３０内の視聴情報蓄積部に記憶させる処理を行う。記憶部１３０内の視聴情報蓄積部に記憶させる視聴情報としては、本実施例においても、上述の実施例１等と同じように、番組情報取得部１３９２で取得した番組情報の中から抽出したキーワードと番組名の組み合わせであるものとする。
【００８７】
通常視聴の際に上述の処理を行うことにより記憶部１３０内の視聴情報蓄積部には、携帯情報端末１３２０を所有する使用者の視聴情報履歴が蓄積される。この、携帯情報端末１３２０の記憶部１３０内の視聴情報蓄積部に構築されたデータベースを用いた、携帯情報端末１３２０を所有する使用者の嗜好に応じた番組推薦処理を行う際の動作は以下のようになる。
【００８８】
携帯情報端末１３２０を所有する使用者が携帯情報端末１３２０を操作して推薦番組の表示を行おうとした場合、携帯情報端末１３２０の制御部１２１は、記憶部１３０内の視聴情報蓄積部に蓄積されている視聴情報（データベースの全内容）を読み出し、嗜好推測部８３０に入力する。嗜好推測部８３０では、制御部１２１の指示により、入力したデータベースの全内容からキーワード毎にその出現回数を集計して更に点数化した集計結果を算出する。
【００８９】
推薦番組抽出部１３９３では、嗜好推測部８３０で得られた前記集計結果を用いて、番組情報取得部１３９２で取得した一週間程度先までの放映予定の番組情報群に対して検索処理を行う。検索結果は、表示処理部１６１を介して表示デバイス１６２に表示され、その結果、携帯情報端末１３２０を所有する使用者は、自身の行った推薦番組の表示操作に対する処理結果を、携帯情報端末１３２０の表示デバイス１６２で確認することが可能となる。なお、推薦番組抽出部１３９３は、本実施例においては、他の回路と独立した部位として図１３に記載しているが、制御部１２１が、嗜好推測部８３０で得られた前記集計結果を用いて、番組情報取得部１３９２で取得した一週間程度先までの放映予定の番組情報群に対して検索処理を行うようにし、その検索結果を表示処理部１６１に出力するように構成しても良い。
【００９０】
また、表示デバイス１６２に表示された、携帯情報端末１３２０を所有する使用者の過去の視聴履歴に基づいて選択された推薦番組を視聴する際は以下の処理を行う。上述の通常の視聴時と同様に、携帯情報端末１３２０を所有する使用者が、表示デバイス１６２に表示された推薦番組の一覧表等から自身の視聴したい推薦番組を選択する。視聴指示部１３９１は前記携帯情報端末１３２０を所有する使用者の推薦番組選択指示に基づき、携帯情報端末側の送信処理部１５２を介して、デジタル放送受信用テレビである放送受信装置１３００へ視聴指示を行う。
【００９１】
以上説明した本発明の実施例６の構成によっても、より好適な番組推薦を行うことが可能となる。
【００９２】
また、本実施例の構成であっても、放送受信装置（１３００）が変更された場合等、上述の実施例１等で得られる効果を同様に得ることが可能である。
【００９３】
更に、本実施例の構成であれば、番組推薦機能や視聴情報の送信機能を持たないデジタル放送受信用テレビである放送受信装置（１３００）と組み合わせて使用した場合においても、携帯情報端末１３２０の所有者の過去の視聴履歴に基づいて抽出した、推薦すべき番組情報を携帯情報端末１３２０にて確認することが可能となる。番組推薦機能や視聴情報の送信機能を持たないデジタル放送受信用テレビであっても携帯情報端末１３２０で抽出した推薦すべき番組を好適に視聴することが可能となる。
【００９４】
なお、実施例６では、放送受信装置１３００を番組推薦機能や視聴情報の送信機能を持たないデジタル放送受信用テレビであるものとして説明しているが、これは番組推薦機能を持たないデジタル放送録画再生機器等であっても良い。この場合、携帯情報端末１３２０にて、前記番組推薦機能を持たないデジタル放送録画再生機器である放送受信装置に対して録画指示を行った際に、記憶部１３０内の視聴情報蓄積部に視聴情報を記憶させるようにすればよい。
【符号の説明】
【００９５】
１００、１００ａ、１００ｂ、１００ｃ、８００、１０００：デジタル放送受信用テレビ、１０１：制御部（デジタル放送受信用テレビ側）、１０２：アンテナ、１０３：チューナ、１０４：分離部、１０５：映像デコーダ、１０６：音声デコーダ、１０７：情報処理部、１０８：表示処理部、１０９：嗜好推測部、１１０：表示デバイス、１１１：スピーカ、１１２、８１２：送受信処理部（デジタル放送受信用テレビ側）、１０１３：メモリインタフェース、
１０３０、１０３０ａ、１０３０ｂ、１０３０ｃ：記憶媒体、
１２０、１２０ａ、１２０ｂ、１２０ｃ、１２０ｄ、８２０、９２０、１２２０、１３２０：携帯情報端末、１２１：制御部（携帯情報端末側）、１２２：システムバス、１２３：ＲＯＭ、１２４：ＲＡＭ、１３０：記憶部、１４１：加速度センサ、１４２：ジャイロセンサ、１４３：地磁気センサ、１４４：ＧＰＳ受信部、１４５：照度センサ、１５１：移動体電話網通信部、１５２：送受信処理部（携帯情報端末側）、１６１：表示処理部、１６２：表示デバイス、１６３：音声処理部、１６４：スピーカ、１６５：映像入力部、１６６：音声入力部、１７０：操作部、１８０：外部インタフェース部、８３０：嗜好推測部、９３０：嗜好データベース、１２９１：放送受信部、１２９２：情報処理部、１３９１：視聴指示部、１３９２：番組情報取得部、１３９３：推薦番組抽出部
１２００、１３００：放送受信装置
２００、２００ａ、２００ｂ：ネットワーク、３２１：データベース、４０９ａ、４０９ｂ、４０９ｃ、６０９ｂ、６０９ｃ、６０９ｄ：集計結果、４０９、６０９：総集計結果
【図１（ａ）】
2013126054.tif 000003
【図１（ｂ）】
2013126054.tif 000004
【図２】
2013126054.tif 000005
【図３】
2013126054.tif 000006
【図４】
2013126054.tif 000007
【図５】
2013126054.tif 000008
【図６】
2013126054.tif 000009
【図７】
2013126054.tif 000010
【図８（ａ）】
2013126054.tif 000011
【図８（ｂ）】
2013126054.tif 000012
【図９（ａ）】
2013126054.tif 000013
【図９（ｂ）】
2013126054.tif 000014
【図１０】
2013126054.tif 000015
【図１１】
2013126054.tif 000016
【図１２】
2013126054.tif 000017
【図１３】
2013126054.tif 000018